【事件の表示】
　平成　３年特許願第３４７５６２号「ディスク装置」拒絶査定に対する審判事件［平成　５年　７月２３日出願公開、特開平　５−１８２３４１］について、次のとおり審決する。
【結　論】
　本件審判の請求は、成り立たない。
【理　由】
１．手続の経緯・本願発明
　本願は、平成３年１２月２７日の出願であって、その請求項１に係る発明は、平成１１年１２月２７日付の手続補正書により補正された明細書及び図面の記載からみて、その特許請求の範囲の請求項１に記載された以下のとおりのものと認める。（以下「本願発明」という。）
「【請求項１】　複数のディスクの中から任意のものを選択再生等するディスク装置において、
　キャビネットと、
　上記キャビネットに対して引き出し及び引き込み駆動されるためのラックを有する第１のトレイと、
　上記第１のトレイに回転可能に配されると共に、上記ディスクの載置面を複数形成した第２のトレイと、
　上記キャビネット内に設けられ、所定位置にある上記第２のトレイの載置面上のディスクをクランブして再生するディスク再生装置とを有し、
　上記第１のトレイに設けられたラックに噛合して該第１のトレイの引き出し及び引き込みを行う第１のギヤと、
　上記第１のトレイに設けられたラックに噛合して該第１のトレイの引き出し及び引き込みを行う第２のギヤと、
　上記ディスク再生装置を昇降駆動するためのカム部を有するカムギヤと、　上記第１のギヤ、第２のギヤ及びカムギヤとそれぞれ噛合する第１のギヤ部、第２のギヤ部、第３のギヤ部を有する駆動ギヤとを備え、
　上記駆動ギヤの第１のギヤ部、第２のギヤ部及び第３のギヤ部がそれぞれ異なる外周上に異なる角範囲に亘って形成されており、
　上記第３のギヤ部に噛合する上記カムギヤにより上記ディスク再生装置を下降させた状態においては、上記第１のギヤ部が上記第１のギヤと噛合して上記第１のトレイの引き出し及び引き込みを行い、
　上記第３のギヤ部に噛合する上記カムギヤにより上記ディスク再生装置を上昇させた状態においては、上記第２のギヤ部が上記第２のギヤと噛合して上記第１のトレイの引き出し及び引き込みを行うよう上記駆動ギヤの回転方向が制御されることを特徴とするディスク装置。」
　
２．引用例記載の発明
　これに対して、原査定の拒絶の理由に引用された引用例（実願平１−１１９３０９号（実開平３−５７７６０号）の願書に添付した明細書及び図面の内容を撮影したマイクロフィルム（平成３年６月４日特許庁発行））には、「マルチディスクプレーヤ」に関する発明について、以下の記載がある。
「第４図乃至第６図はこの考案の第２の実施例を示す。
　第４図に示すように、ディスクを載置する凹部３ａ，３ａ・・・を有するディスクトレイ３はスライドテーブル２上に回転自在に支持され、スライドテーブル２に設けられた駆動装置１５により回転駆動される。
　スライドテーブル２はシャーシ１に摺動自在に支持され、ディスク再生ユニット６のターンテーブル４の真上にディスクを載置する図に示す位置と、フロントパネルの前方にディスクトレイ３の凹部を露出させてディスクが交換可能となる位置の間を駆動装置２８により駆動される。
　スライドテーブル２が第４図に示す位置にあるとき、ディスク再生ユニット６が上昇し、ディスク再生ユニット６に設けられたターンテーブル４がディスクトレイ３上のディスクを持上げてクランプしディスクを回転させると共に光ピックアッブ５が移動しディスクが再生される。
　スライドテーブル２とディスク再生ユニット６の駆動装置２８の詳細を第５図（ａ）および（ｂ）に示す。
　ターンテーブル４と光ピックアッブ５を備えたディスク再生ユニット６は後部両側面に立設された軸６ａ，６ａを介してシャーシに回動自在に支持されている。
　ディスク再生ユニット６の前面に立設されたピン６ｂ，６ｂ（１つのみ図示してある）はシャーシに摺動自在に支持されたスライダ１１の力ム溝１１ａ，１１ａに挿通している。
　スライダ１１に設けられたラック１１ｂはシャーシに回転自在に支持されたギヤ２２の小歯車２２ａと噛み合っている。
　ギヤ２２の間欠ギヤ２２ｂはシャーシに回転自在に支持されたローディングギヤ２３の間欠ギヤ２３ｃと噛合可能である。
　ローディングギヤ２３のセグメントギヤ２３ａはスライドテーブルの裏面に形成されたラック２ｂと噛合い可能であり、トリガー歯２ｃと係合する。
　ローディングギヤ２３のセグメントギヤ２３ｂはセグメントギヤ２３ａとは段違いに形成されており、シャーシに回転自在に支持された、ギヤ２７と噛合い可能であるが、ラック２ｂの下部の一部が切り欠れているため、ラック２ｂとは噛合わない。ギヤ２７はラック２ｂと常時噛合っている。
　ローディングギヤ２３の小歯車２３ｄはシャーシに回転自在に支持されているギヤ２４の小歯車２４ｂと噛合っており、ギヤ２４のはすは歯車２４ａは第４図に示すようにモータ２６によりベルト伝動装置を介して駆動されるウオーム２５と噛合っている。
　第６図（ａ）乃至（ｄ）を参照して、駆動装置２８の作用を説明する。
　ローディングギヤ２３が図（ａ）に示す回動位置にあるとき、ディスク再生ユニットは上昇しており、スライドテーブルは筺体内の位置にある。
　ローディングギヤ２３を図（ａ）に示す位置から矢印Aの方向に回転させると、図（ｂ）に示すように間欠ギヤ２２ｂと間欠ギヤ２３ｃが噛合うようになり、スライダ１１はイ方向に移動し、ディスク再生ユニット６は下降する。
　さらに、ローディングギヤ２３をA方向に回転させると、ディスク再生ユニットの下降行程が終了した後、図（ｃ）に示すように、セグメントギヤ２３ｂとギヤ２７が噛合い、ギヤ２７はB方向に回転し、ラック２ｂをC方向に移動させスライドテーブルは前進しディスク交換可能の位置にくる。このとき、ラック２ｂの切欠き部がセグメントギヤ２３ｂの対応する位置にくるのでラック２ｂとセグメントギヤ２３ｂが噛合うことはない。
　モータ２６を逆転させると、図（ｃ）に示す状態から図（ｂ）に示す状態を経由し、図（ａ）に示す状態となり、この行程により、スライドテーブルが筺体内に引込んだ後、ディスク再生ユニットが上昇する。
　図（ａ）に示す状態から図（ｄ）に示すD方向にローディングギヤ２３を回転させると、セグメントギヤ２３ａがトリガー歯２ｃを動かし、セグメントギヤ２３ａがラック２ｂと噛合うようになり、ラック２ｂをE 方向に移動させ、スライドテーブルは前進しディスク交換可能の位置にくる。このとき、セグメントギヤ２３ｂとギヤ２７は噛合っていない。また、間欠ギヤ２２ｂと間欠ギヤ２３ｃは噛合わずディスク再生ユニットは上昇したままである。
　［考案の効果］
　この考案のマルチディスクプレーヤによれば、同一の駆動装置によりディスク再生ユニットとスライドテーブルが駆動されるので、それらの作動の同期が外れて互いに干渉する恐れがなく、装置が簡素化されコストが削減される。
　また、ディスク再生ユニットが上昇してディスクをクランブした状態とディスク再生ユニットが下降したアンクランブの状態のいずれにおいても、スライドテーブルを前方へ移動させることができるので、ディスク再生中にデイスクの交換が可能となる。」（第１２頁第３行〜第１６頁第２０行）
　
　以上の記載及び各図面（特に第４，５，６図）の記載を参照すると引用例には、以下の発明が記載されているものと認める。
「マルチディスクプレーヤにおいて、
　シャーシ１と、
　シャーシ１に摺動自在に支持され、ラック２ｂが形成されたスライドテーブル２と、
　スライドテーブル２上に回転自在に支持され、ディスクを載置する複数の凹部３ａを有するディスクトレイ３と、
　ディスクトレイ３上のディスクを持ち上げてクランプし、ディスクを再生する再生ユニット６と、
　ラック２ｂと噛合っており、スライドテーブルを前進または筐体内に引込むギヤ２７と、
　ラック２ｂと噛合っており、スライドテーブルを前進または筐体内に引込むセグメントギヤ２３ａと、
　ディスク再生ユニット６を上昇または下降させるスライダ１１及びギヤ２２と、
　ギヤ２７と噛合うセグメントギヤ２３ｂ、ラック２ｂと噛合うセグメントギヤ２３ａ、及びギヤ２２の間欠ギヤ２２ｂと噛合う間欠ギヤ２３ｃを有するローディングギヤ２３と
を備え、
　ディスク再生ユニットの下降工程が終了した後、さらにローディングギヤをＡ方向に回転させると、セグメントギヤ２３ｂとギヤ２７が噛合いスライドテーブルを前進し、モータ２６を逆転させるとスライドテーブルを筐体内に引込み、
　ディスク再生装置が上昇した状態からＤ方向にローディングギヤ２３を回転させると、セグメントギヤ２３ａがラック２ｂと噛合い、スライドテーブルが前進する
マルチディスクプレーヤ」
　
３．対比
　ここで、本願発明と引用例記載の発明を対比すると、引用例記載の発明の「マルチディスクプレーヤ」「シャーシ１」「スライドテーブル２」「ディスクトレイ３」「再生ユニット６」「ギヤ２７」「ローディングギヤ２３」「セグメントギヤ２３ｂ」「セグメントギヤ２３ａ」「間欠ギヤ２３ｃ」は、それぞれ本願発明の「複数のディスクの中から任意のものを選択再生等するディスク装置」「キャビネット」「第１のトレイ」「第２のトレイ」「ディスク再生装置」「第１のギヤ」「駆動ギヤ」「第１のギヤ部」「第２のギヤ部」「第３のギヤ部」に相当することは明らかである。また引用例記載の発明の「セグメントギヤ２３ｂ」「セグメントギヤ２３ａ」「間欠ギヤ２３ｃ」は第５図ａ及び第６図から明らかなように、異なる外周上に異なる角範囲に亘って形成されている。
　したがって、本願発明１と引用例記載の発明は、
「複数のディスクの中から任意のものを選択再生等するディスク装置において、
　キャビネットと、
　上記キャビネットに対して引き出し及び引き込み駆動されるためのラックを有する第１のトレイと、
　上記第１のトレイに回転可能に配されると共に、上記ディスクの載置面を複数形成した第２のトレイと、
　上記キャビネット内に設けられ、所定位置にある上記第２のトレイの載置面上のディスクをクランブして再生するディスク再生装置とを有し、
　上記第１のトレイに設けられたラックに噛合して該第１のトレイの引き出し及び引き込みを行う第１のギヤと、
　上記ディスク再生装置を昇降駆動する手段と、
　上記第１のギヤと噛合する第１のギヤ部、該第１のトレイの引き出し及び引き込みを行う手段に噛合する第２のギヤ部、上記ディスク再生装置を昇降駆動する手段に噛合する第３のギヤ部を有する駆動ギヤとを備え、
　上記駆動ギヤの第１のギヤ部、第２のギヤ部及び第３のギヤ部がそれぞれ異なる外周上に異なる角範囲に亘って形成されており、
　上記第３のギヤ部に噛合する上記ディスク再生装置を昇降駆動する手段により上記ディスク再生装置を下降させた状態においては、上記第１のギヤ部が上記第１のギヤと噛合して上記第１のトレイの引き出し及び引き込みを行い、
　上記第３のギヤ部に噛合する上記ディスク再生装置を昇降駆動する手段により上記ディスク再生装置を上昇させた状態においては、上記第２のギヤ部が噛合して上記第１のトレイの引き出し及び引き込みを行うよう上記駆動ギヤの回転方向が制御されることを特徴とするディスク装置。」　
である点で一致し、以下の点で相違するものと認められる。
相違点１
　ディスク再生装置を昇降駆動する手段が、本願発明ではカムギヤであるのに対して、引用例記載の発明ではギヤ２２及びスライダ１１である点。
相違点２
　駆動ギヤの第２のギヤ部は、本願発明では第２のギヤを介して第１のトレイの引き出し及び引き込みを行うのに対して、引用例記載の発明は駆動ギヤの第２のギヤ部は直接第１のトレイのラックに噛合して上記第１のトレイの引き出し、引き込みを行う点。
　
４．当審の判断
　上記相違点について検討する。
相違点１に対して
　ディスク再生装置を昇降駆動する手段としてのカムギヤは、例えば特開昭６１−１４２５５９号公報記載のカム４０，４２や特開平２−６６７７２号公報記載のカム部材３９や特開平２−２７６０５７号公報記載の昇降カム２２にみられるように周知な技術である。そして引用例記載の発明のディスク再生装置を昇降駆動する手段を該手段として周知なカムギヤを用いることは、周知技術の単なる置換にすぎず、その効果も予想外のものとは認められない。
　
相違点２に対して
　ギヤによる駆動において、力を伝達するギヤを介して駆動するか直接駆動するかは、駆動されるものまでの距離、駆動方向に応じて適宜設けられる設計的事項にすぎず、引用例記載の発明の駆動ギヤの第２のギヤ部により第１のトレイを直接駆動する構成を、上記第２のギヤ部から第２のギヤを介して第１のトレイを駆動するよう変更したことに、格別の点は認められない。
　
５．むすび
　以上のとおり、上記相違点は格別なものとは言えないので、本願発明は、上記引用例に記載された発明及び周知技術に基いて当業者が容易に発明することができたものと認められるから、特許法第２９条第２項の規定により特許を受けることができない。
　よって、結論のとおり審決する。